(57)【要約】  自動車両ヘッドランプ用の光モジュール（１００）において、−  複数のピクセルへと割り当てられた複数の電界発光体を備え、光線を放出することのできる、ピクセル化された少なくとも１つの光源（３）と、−  少なくとも１つの光源（３）により放出された光線よって形成される光ビームを、当該光モジュール（１００）の外部へ向かって直接的に映し出すように構成された投射用光学部品（１０）とを備えることを特徴とすると共に、−  光源から生じる光線が、光源における複数の電界発光体の外側に配置された部位によって反射されることを完全に、ないしは部分的に防止するために、少なくとも１つの光源（３）と投射用光学部品（１０）との間に配置されたマスク（２）を備えることを特徴とするものである。
2022500823.tif 000002
【特許請求の範囲】
【請求項１】
自動車両ヘッドランプ用の光モジュール（１００）において、
−  複数のピクセルへと割り当てられた複数の電界発光体を備え、光線を放出することのできる、ピクセル化された少なくとも１つの光源（３）と、
−  前記少なくとも１つの光源（３）により放出された前記光線よって形成される光ビームを、当該光モジュール（１００）の外部へ向かって直接的に映し出すように構成された投射用光学部品（１０）と、
を備えることを特徴とすると共に、
−  前記光源から生じる光線が、前記光源における前記複数の電界発光体の外側に配置された部位によって反射されることを完全に、ないしは部分的に防止するために、前記少なくとも１つの光源（３）と前記投射用光学部品（１０）との間に配置されたマスク（２）、を備えることを特徴とする光モジュール（１００）。
【請求項２】
前記光源（３）の少なくとも１つの接続トラック（８）に付着された少なくとも１つの電気接続体（５）によって前記光源（３）に接続されたプリント回路基板（４）を更に備え、前記マスク（２）は、前記光源（３）から生じる光ビームが通ることを可能とすると共に、前記少なくとも１つの電気接続体（５）および／または前記少なくとも１つの接続トラック（８）および／または前記プリント回路基板（４）を少なくとも部分的に覆うように、開口（２１）を具備している、前記請求項に記載の光モジュール（１００）。
【請求項３】
前記マスク（２）は、前記電気接続体（５）と前記光源（３）の接続トラック（８）との全てを少なくとも部分的に覆い、特に、各電気接続体（５）における前記プリント回路基板（４）の上に位置した全ての部分と、少なくとも各電気接続体（５）における前記光源（３）の上に位置した部分とを覆っている、前記請求項に記載の光モジュール（１００）。
【請求項４】
前記電気接続体は、前記投射用光学部品（１０）側を向いたプリント回路基板（４）および前記光源（３）の各表面に対してそれぞれ付着された連結体から成っている、請求項２および３のいずれかに記載の光モジュール（１００）。
【請求項５】
前記マスク（２）が、プリント回路基板（４）に対して、またはプリント回路基板（４）および／若しくは前記光源（３）の取り付けられるベース（６）に対して取り付けられるか、或いは、前記マスク（２）が、前記投射用光学部品（１０）に対して取り付けられている、前記請求項のうちいずれか一項に記載の光モジュール（１００）。
【請求項６】
前記投射用光学部品（１０）の方を向いた前記マスク（２）の表面が、２５％未満、ないしは２０％未満、好ましくは５％未満の反射率を有している、前記請求項のうちいずれか一項に記載の光モジュール（１００）。
【請求項７】
前記マスク（２）は、電気伝導性材料で作られ、特に金属または合金、好ましくはアルミニウムまたはアルミニウム合金で作られている、前記請求項のうちいずれか一項に記載の光モジュール（１００）。
【請求項８】
前記マスク（２）は前記光源（３）から、０．２ｍｍから５ｍｍの間、好ましくは０．２ｍｍから１．５ｍｍの間の距離だけ隔てられている、前記請求項のうちいずれか一項に記載の光モジュール（１００）。
【請求項９】
前記マスク（２）は接地に対して電気的に接続されている、前記請求項のうちいずれか一項に記載の光モジュール（１００）。
【請求項１０】
前記光源（３）を冷却するために前記投射用光学部品（１０）とは反対の側で前記光源（３）に直接ないしは間接的に当接して配置された冷却板（６）を更に備え、前記冷却板（６）は随意に放熱器（６０）などの冷却装置に接続されている、前記請求項のうちいずれか一項に記載の光モジュール（１００）。
【請求項１１】
前記冷却板（６）は、前記プリント回路基板（４）の上側表面が前記光源（３）の上側表面と実質的に面一であるように構成されている、請求項２または５のいずれか一項との組合せにおける前記請求項に記載の光モジュール（１００）。
【請求項１２】
前記投射用光学部品（１０）は、前記光源によって生じる像を投射するように構成された少なくとも１つの投射系（１１）を備えている、前記請求項のうちいずれか一項に記載の光モジュール（１００）。
【請求項１３】
前記請求項のうちいずれか一項に記載の光モジュール（１００）を備えた、自動車両用のヘッドランプ。
【発明の詳細な説明】
【技術分野】
【０００１】
本発明は、自動車両ヘッドランプ用の光モジュールに関するものである。本発明はまた、そのような光モジュールを備えた自動車両ヘッドランプおよび自動車両にも関するものである。
【背景技術】
【０００２】
被照射面上に情報が表示されることを可能とする自動車両用のヘッドランプが知られている。そのようなヘッドランプは一般的に、像を表示するためにマルチピクセル・モノリシック光源を備えた発光装置を具備している。光学装置が発光装置上に取り付けられている。その光学装置は、マルチピクセル光源の各ピクセルから生じる光ビームを導くために投射系を備えている。しかしながら、最終的に投射された像をぼやけさせる迷光反射の存在のせいで、光学装置の出力において良質な像を得ることが困難である。
【発明の概要】
【発明が解決しようとする課題】
【０００３】
本発明の目的は、投射されるビームの品質を最適化することを可能とする、自動車両ヘッドランプ用のマルチピクセル光源を有した光モジュールを提供することである。
【０００４】
特に本発明は、先行技術の装置によって生成される像よりも鮮明でノイズの少ない投射像を生成する光モジュールを作り出すことを可能とするものである。
【課題を解決するための手段】
【０００５】
その目的のために本発明は、自動車両ヘッドランプ用の光モジュールにおいて、
−  複数のピクセルへと割り当てられた複数の電界発光体を備え、光線を放出することのできる、ピクセル化された少なくとも１つの光源と、
−  当該少なくとも１つの光源により放出された光線よって形成される当該光ビームを、当該光モジュールの外部へ向かって直接的に映し出すように構成された投射用光学部品と、
を備えることを特徴とすると共に、
−  光源から生じる光線が、光源における複数の電界発光体の外側に配置された部位によって反射されることを完全に、ないしは部分的に防止するために、少なくとも１つの光源と投射用光学部品との間に配置されたマスク、を備えることを特徴とする光モジュールに関するものである。
【０００６】
光モジュールが、光源の少なくとも１つの接続トラックに付着された少なくとも１つの電気接続体によって当該光源に接続されたプリント回路基板を更に備え、前記マスクは、光源から生じる光ビームが通ることを可能とすると共に、少なくとも１つの電気接続体および／または少なくとも１つの接続トラックおよび／またはプリント回路基板を少なくとも部分的に覆うように、開口を具備していてよい。
【０００７】
マスクは、電気接続体と光源の接続トラックとの全てを少なくとも部分的に覆い、特に、各電気接続体におけるプリント回路基板の上に位置した全ての部分と、少なくとも各電気接続体における光源の上に位置した部分とを覆っていてよい。
【０００８】
電気接続体は、投射用光学部品側を向いたプリント回路基板および光源の各表面に対してそれぞれ付着された連結体から成っていてよい。
【０００９】
マスクは、プリント回路基板に対して、またはプリント回路基板および／若しくは光源の取り付けられるベースに対して取り付けられていてよく、或いは、マスクは、投射用光学部品に対して取り付けられる。
【００１０】
投射用光学部品の方を向いたマスクの表面が、２５％未満、ないしは２０％未満、好ましくは５％未満の反射率を有していてよい。
【００１１】
マスクは、電気伝導性材料で作られていてよく、特に金属または合金、好ましくはアルミニウムまたはアルミニウム合金で作られている。
【００１２】
マスクは光源から、０．２ｍｍから５ｍｍの間、好ましくは０．２ｍｍから１．５ｍｍの間の距離だけ隔てられていてもよい。
【００１３】
マスクは接地に対して電気的に接続されていてよい。
【００１４】
光モジュールが、光源を冷却するために投射用光学部品とは反対の側で当該光源に直接ないしは間接的に当接して配置された冷却板を更に備え、当該冷却板は随意に放熱器などの冷却装置に接続されていてもよい。
【００１５】
冷却板は、プリント回路基板の上側表面が光源の上側表面と実質的に面一であるように構成されていてよい。
【００１６】
投射用光学部品は、光源によって生じる像を投射するように構成された少なくとも１つの投射系を備えていてよい。
【００１７】
本発明はまた、上述したような光モジュールを備えた、自動車両用のヘッドランプにも関するものである。
【００１８】
本発明はまた、上述したような光モジュールを備えた、ヘッドランプやリアライト、さもなければ車両の車室用の室内光ユニットなどの、自動車両用の光装置にも関するものである。
【００１９】
最後に本発明はまた、上記で定義したようなヘッドランプを備える自動車両にも関するものである。
【００２０】
これら本発明の目的、特徴、および利点は、添付図面を参照して限定を伴うことなく与えられる特定の一実施形態の下記説明において詳細に説明されることとなる。
【図面の簡単な説明】
【００２１】
【図１】本発明の一実施形態による光モジュールの断面図。
【図２】本発明の一実施形態による光モジュールにおける発光装置の断面図。
【図３Ａ】本発明の実施形態による光モジュールにおける、マスクを伴わない発光装置を上方から見た図。
【図３Ｂ】本発明の実施形態による光モジュールにおける、マスクを伴った発光装置を上方から見た図。
【図４】本発明の実施形態による光学モジュールの一部の斜視図。
【発明を実施するための形態】
【００２２】
図１は、本発明の一実施形態による光モジュール１００を模式的に示している。この光モジュール１００は第１に、図２を参照してより特定的に説明されることとなる発光装置１を備えている。その発光装置１は特に、少なくとも１つのマルチピクセル光源３ないしはピクセル化された光源３を備えている。より精確には、光モジュールは、複数のピクセルへと割り当てられた複数の電界発光体を備え、光ビームを形成する光線を放出することのできる、ピクセル化された光源を具備している。光モジュール１００は、（発光装置１によって生成されたビームを外部の方へ導くために）入光面１２を有する投射用光学部品１０を特に備えた光学装置と、発光装置１と光学装置（より精確には投射用光学部品１０）との間に差し挟まれたマスク２とを更に備えている。
【００２３】
マスク２は、下記で説明されることとなるように（例えば、光学装置によって反射され、次いで発光装置によって反射された）迷光光線の少なくとも一部を吸収することを可能とする有利性がある。
【００２４】
本実施形態による発光装置１は、図２、並びに図３Ａおよび図３Ｂを参照して以下に説明される。
【００２５】
この発光装置１は、ピクセル化された光源３（即ち、その光源はピクセル同士のアレイ（配列）を形成する基本光源同士のアレイを備える）を具備している。光源３は、光源同士のアレイがその上に配置される支持体７（これはアルミニウム製の基体の形態であってよい）を更に備えている。その光源３は、基本光源同士のアレイに電力を供給するために接続トラック８をも備えている。
【００２６】
光源３は、モノリシック光源であることが好ましい。モノリシックとは、各ピクセルが一方向へ光を放出するということである。従って、各ピクセルからの光ビームが直進するものである。かくして、この効果によって、あるピクセルによって放出された光が、隣り合うピクセルによって放出された光と重なり合うこととはならない、ということを保証することが可能となる。
【００２７】
かくしてピクセル化されたモノリシック光源は、光モジュールから十分長い距離だけ離して置かれた壁面上へと像を投射し得る。光源３はまた、各ピクセルによって放出された光線の全てを包含した光ビームが円柱状であるように設計されていてもよい。
【００２８】
光源３は、ピクセル群を形成するために発光ダイオード同士のアレイ（ピクセル化ＬＥＤとも呼ばれる）を備えていてよい。光源３は、２００から１００００ピクセルの間、出来れば２０００から６０００ピクセルの間の多数のピクセルを備えていることが好ましい。変形例として、この光源は、多数のマイクロミラーを備えた微小電気機械システムの形態をとる、マイクロミラー同士のアレイとすることができるであろう。それらのマイクロミラーは、全てが同じ軸線周りに可動となっていて、少なくとも２つの別個の向きをとり得るものである。その第１の向きによれば、マイクロミラーは（照射範囲内で）光モジュールの外部へ光線を送る。その第２の向きによれば、光線が照射範囲外へ逸らされる。各マイクロミラーの向きは、電磁気力の影響下で個別に制御され得る。そのようなマイクロミラー同士のアレイによって、遙かに多くのピクセル数を得ることが可能となる。
【００２９】
発光装置１は、プリント回路基板４を更に備えている。プリント回路基板４は、光源３を制御することができるように構成されている。その基板は、中に光源３の配置される開口を備えている。
【００３０】
本実施形態において、光源３は、電気接続体５によってプリント回路基板４に接続されている。それらの電気接続体５は、光源３の各接続トラック８をプリント回路基板４へ電気的に接続するように構成されている。
【００３１】
本実施形態によれば、少なくとも１つの電気接続体５は半田付け線を含んでいてよい。半田付け線は、（限定されることなく）アルミニウム、金、若しくは錫、または、少なくとも１つの前述の金属に基づいた如何なる他の合金で作られていてもよい。従って、その組成ゆえに、そのような電気接続体５は反射性のものである。その結果、光学装置によって反射されてから発光装置１へ戻るかもしれない光線を、反射してしまうリスクがあるのである。マスク２の存在によって、電気接続体５の少なくとも一部（好ましくは、全て）が、そのような迷光光線を受けて反射してしまうのを防止することが可能となる。
【００３２】
図１に示すように、発光装置は、光学装置と協働するように企図されている。光学装置は、光学投射系１１を備えている。その光学投射系１１は、当該装置の寸法に比べて当該装置の（少なくとも３０、好ましくは１００程度の比率の）非常に長い（有限ないしは無限の）距離の所に、当該装置の一部（例えば、光源自体もしくはシールド）または光源の中間像の、実像であって、ことによるとアナモルフィックな（歪像である）像を作り出す。投射系は、１つないし複数の反射器、さもなければ１つないし複数のレンズ、または１つないし複数のライトガイド（導光体）、或いは寧ろ、これらの候補同士の組合せから成っていてよい。
【００３３】
光学装置は、反射防止コーティングを備えた入光面１２を含んでいる。そのような反射防止コーティングにもかかわらず、光学装置はなおも、光源３から生じた光ビームの僅かな部分を発光装置１の方へ反射してしまう。この影響によって、不必要な迷光光線が生じてしまう。その迷光光線は、光モジュールから出て行った場合には、光モジュールによって投射される像を劣化させてしまうのである。具体的には光学装置は、半導体光源によって放出された光を投射するための投射用光学部品１０を備えている。この投射用光学部品が最終的に、当該装置の一部（例えば、光源自体もしくはシールド）または光源の中間像の、実像であって、ことによるとアナモルフィックな像を作り出すのである。この像は、光モジュールや光源の寸法に対して大きさが（少なくとも３０、好ましくは少なくとも１００程度の比率で）非常に大きい。この投射用光学部品が、１つないし複数の反射器、さもなければ１つないし複数のレンズ、または１つないし複数のライトガイド、或いは寧ろ、これらの候補同士の組合せから成っていてよいのである。
【００３４】
この反射された迷光光線によって投射像が劣化させられる影響を軽減するために、光モジュール１００は、発光装置１と光学装置との間に配置されたマスク２を更に備えている。このマスク２は、光学装置によって反射された光線の少なくとも一部が、光源３によって、特に電気接続体５、接続トラック８、支持体７、或いはプリント回路基板４までもによって、もう一度反射されてしまうのを防止するように設計および構成されている。かくしてマスク２は、光モジュール１００外への迷光放射の全部ないし一部を防止する。その放射は、少なくとも１つの光源３の外側、特に複数の電界発光体の外側に配置された部位での反射によって放出されるかもしれないものである。
【００３５】
本実施形態によれば、マスク２は、光源３から生じたモノリシック光線が光学装置へ到達するのを可能とするために、それらの光線の通過を許容する開口２１を備えている。この開口２１の形状および寸法は、光源３のものに極めて近いことが好ましい。その開口は、光源３によって放出された光線のみが通過するのを可能とするよう、この光源３の輪郭と同じ形状の輪郭を備えているのが好ましい。
【００３６】
マスク２は、光学装置の方を向いた反射防止性の表面２２を更に備えている。その表面２２は、プリント回路基板４の少なくとも一部、および／または電気接続体５の少なくとも一部を覆うように構成されている。図３Ｂに示すように、反射防止性の表面は、発光装置１におけるプリント回路基板４と少なくとも１つの電気接続体５との大分部を覆っている。マスク２は、全ての電気接続体５（それらの接続における、プリント回路基板４の上に位置した部分の全てと、光源３の上に位置した部分のうち少なくとも１つとを含む）を覆っているのが有利である。更には、光学装置の方を向いたマスクの表面２２が、２５％未満、ないしは２０％未満、好ましくは５％未満の反射率を有しているのが有利である。
【００３７】
かくして、光学装置によって反射されてプリント回路基板４および／または少なくとも１つの電気接続体５の方へ差し向けられた光線の少なくとも一部は、吸収されて、光モジュール１００から生じる光ビームと「干渉する」こととはならない。
【００３８】
マスク２は、プリント回路基板４および／または少なくとも１つの電気接続体５と接触しないように、プリント回路基板４、少なくとも１つの電気接続体５、および光源３より上に配置される。そのマスクは、光源３に出来るだけ近づけて配置されるのが有利である。但し、浮き彫り状になった各電気接続体５の存在は、そのマスク２が、これらの電気接続体５より僅かに上方に、かくして光源３より上（好ましくは、光源３の発光面の０．５ｍｍ以内、或いは０．２ｍｍから５ｍｍの間、出来れば０．２ｍｍから１．５ｍｍの間の距離）に位置することを要求する。
【００３９】
マスク２は、光源３との近接のせいで被る加熱を放散させるために、熱伝導性材料で作られていることが好ましい。それに加えてマスク２は、電気伝導性材料で作られて接地へ接続されているのが有利である。それは、マスク２と少なくとも１つの接続トラック５との間での電弧の形成を回避するためである。
【００４０】
かくしてマスク２は、アルミニウムやアルミニウム合金などの伝導性材料で作られるのが好ましい。
【００４１】
マスク２は、２ｍｍ未満、１ｍｍ未満、ないしは０．５ｍｍ未満の厚さを備えることが有利である。マスク２の厚さが０．５ｍｍ以下である場合に、空気との熱交換によるマスク２の冷却が最適化される。
【００４２】
本実施形態において、マスク２は（その中央部位において）光源３に近づく方向へ突き出でた突出部分２３を備えている。この突出部分２３は、マスク２の残部とは異なる浮き彫り状部分を形成している。マスクの周縁部分は特に、その取付けに役立つものである。また、非突出部分におけるマスク２と空気との間の熱交換が、かくして促進される。一実施形態において、マスク２は、プリント回路基板４か、またはプリント回路基板がその上に載せられるベースかの何れかに取り付けられることによって、発光装置１上に据え付けられる。マスクは、光源３を支持するとの同じ構成要素に対して取り付けられるのが有利である。代替実施形態において、マスク２は光学装置上に据え付けられる。
【００４３】
図３Ｂに示すように、マスク２は、発光装置１および／または光学装置と協働するために、少なくとも１つの取付け要素２４を備えるように機械加工されていてよい。この少なくとも１つの取付け要素２４は、穿孔またはネジ穴を含んでいてよい。
【００４４】
更に、本発明の実施形態において、発光装置１は冷却装置を備えている。この冷却装置は、発光装置を冷却するように設計されている。その冷却装置は、熱伝導性材料で作られたベース６を備えている。このベース６の解放された面６１が、光源によって生み出される熱を取り除くように、放熱器６０（図４で見られる）および／または熱交換器と接触している。
【００４５】
一実施形態において、熱伝導体ベース６は、突起６２を備えた中央部分を具備している。その突起６２に対して直接、光源３が取り付けられる。この構成によって、光源３により生じる熱を取り除くことが容易となる。
【００４６】
突起６２はまた、光源３が持ち上げられることを可能ともする。かくして、その突起は、光学装置（より精確には、投射用光学部品）の方を向いた光源とプリント回路基板４との表面同士が、実質的に同じ高さにあるように、そしていずれにせよ電気接続体５を介した両者の電気的接続を最適化する各自の高さにあるように設計されている。この場合、実質的に同じ高さにあるとは、２つの表面同士の間の高さの差が２ｍｍ未満、好ましくは１ｍｍ未満であることを意味する。
【００４７】
熱伝導体ベース６は、プリント回路基板４の上側表面が光源３の上側表面と実質的に面一となるように構成されているのである。
【００４８】
本発明はまた、上述したような光モジュール１００を備えるヘッドランプにも関するものである。その発明はまた、当該ヘッドランプを備えた輸送手段、例えば自動車両にも関するものである。
【図１】
2022500823.tif 000003
【図２】
2022500823.tif 000004
【図３Ａ】
2022500823.tif 000005
【図３Ｂ】
2022500823.tif 000006
【図４】
2022500823.tif 000007
【国際調査報告】
2022500823.tif 000008
2022500823.tif 000009
2022500823.tif 000010
2022500823.tif 000011
2022500823.tif 000012